(57)【要約】【課題】対象となる端末相互の関連性を加味して所定の情報の集計をすることができる視聴情報収集システムを提供する。【解決手段】この視聴情報収集システム１０は、視聴番組情報を取得する対象としての対象端末を特定するための対象端末情報を、推奨番組情報を要求する携帯電話機２０１から受信する指定情報受信部１０１と、当該受信した対象端末情報に基づいて対象端末としての携帯電話機を特定する対象端末特定部１０２と、当該特定された携帯電話機における視聴番組情報を取得する番組情報取得部１０３と、対象端末としての携帯電話機における番組の視聴率を算出する視聴率算出部１０４と、当該算出された視聴率に基づいて推奨番組を特定する番組特定部１０５と、推奨番組情報を携帯電話機２０１に送信する推奨情報送信部１０６とを含む。【選択図】図１
2004240502.tif 000002
【特許請求の範囲】
【請求項１】
視聴番組に関する視聴番組情報を取得する対象としての対象端末を特定するための対象端末情報を、推奨番組に関する推奨番組情報を要求する要求端末から受信する指定情報受信手段と、
当該受信した対象端末情報に基づいて前記対象端末を特定する対象端末特定手段と、
当該特定された対象端末における前記視聴番組情報を取得する番組情報取得手段と、
前記対象端末特定手段が特定した対象端末の数と前記番組情報取得手段が取得した前記視聴番組情報とに基づいて前記対象端末における番組の視聴率を算出する視聴率算出手段と、
当該算出された視聴率に基づいて前記推奨番組を特定する番組特定手段と、
当該特定された推奨番組を特定するための番組特定情報を含む前記推奨番組情報を前記要求端末に送信する推奨情報送信手段と、
を含む視聴情報収集システム。
【請求項２】
前記対象端末において前記視聴番組情報の提供を拒否する提供拒否情報が入力されている場合には、前記番組情報取得手段は当該提供拒否情報が入力されている前記対象端末における視聴番組情報を取得しないことを特徴とする請求項１に記載の視聴情報収集システム。
【請求項３】
前記対象端末において前記視聴番組情報の取得を特定の視聴番組に限定する番組限定情報が入力されている場合には、前記番組情報取得手段は当該番組限定情報が入力されている対象端末については前記特定の視聴番組についての視聴番組情報を取得することを特徴とする請求項１に記載の視聴情報収集システム。
【請求項４】
前記推奨番組情報は前記推奨番組の視聴率に関する情報を含むことを特徴とする請求項１から３のいずれか１項に記載の視聴情報収集システム。
【請求項５】
前記視聴番組は、相互に関連性のある複数の番組が定期的に放送されているものを対象とすることを特徴とする請求項１から４のいずれか１項に記載の視聴情報収集システム。
【請求項６】
コンピュータを、
視聴番組に関する視聴番組情報を取得する対象としての対象端末を特定するための対象端末情報を、推奨番組に関する推奨番組情報を要求する要求端末から受信する指定情報受信手段、
当該受信した対象端末情報に基づいて前記対象端末を特定する対象端末特定手段、
当該特定された対象端末における前記視聴番組情報を取得する番組情報取得手段、
前記対象端末特定手段が特定した対象端末の数と前記番組情報取得手段が取得した前記視聴番組情報とに基づいて前記対象端末における番組の視聴率を算出する視聴率算出手段、
当該算出された視聴率に基づいて前記推奨番組を特定する番組特定手段と、
当該特定された推奨番組を特定するための番組特定情報を含む前記推奨番組情報を前記要求端末に送信する推奨情報送信手段
として機能させることを特徴とする視聴情報収集プログラム。
【発明の詳細な説明】
【０００１】
【発明の属する技術分野】
本発明は、推奨番組に関する情報を送信することを目的とする視聴情報収集システム、視聴情報収集プログラムに関するものである。
【０００２】
【従来の技術】
他の利用者端末がどういう情報を取得したかといった情報を提供する情報提供システムの一例としては、各々の利用者端末がネットワークを介して接続されており、ある利用者端末が複数の利用者端末を指定してその利用者端末に蓄積されたＷＥＢ参照履歴等の履歴情報を取得し表示するというものがある（例えば、特許文献１参照。）。
【０００３】
【特許文献１】
特開２００１−４３２３３号公報（段落番号００１２〜００１４）
【０００４】
【発明が解決しようとする課題】
従来のシステムでは、個々の端末における履歴情報が単に収集されて表示されるにとどまり、端末相互の関連性を考慮して履歴情報を集計することや、対象となる端末全体において履歴情報を集計することといったことは実現されていなかった。
【０００５】
そこで本発明では、対象となる端末相互の関連性を加味して所定の情報の集計をすることができる視聴情報収集システム及び視聴情報収集プログラムを提供することを課題とする。
【０００６】
【課題を解決するための手段】
本発明の視聴情報収集システムは、視聴番組に関する視聴番組情報を取得する対象としての対象端末を特定するための対象端末情報を、推奨番組に関する推奨番組情報を要求する要求端末から受信する指定情報受信手段と、当該受信した対象端末情報に基づいて対象端末を特定する対象端末特定手段と、当該特定された対象端末における視聴番組情報を取得する番組情報取得手段と、対象端末特定手段が特定した対象端末の数と番組情報取得手段が取得した視聴番組情報とに基づいて対象端末における番組の視聴率を算出する視聴率算出手段と、当該算出された視聴率に基づいて推奨番組を特定する番組特定手段と、当該特定された推奨番組を特定するための番組特定情報を含む推奨番組情報を要求端末に送信する推奨情報送信手段とを含む。
【０００７】
指定情報受信手段が要求端末から対象端末を特定する対象端末情報を受信し、番組情報取得手段がその受信した対象端末情報に基づいて視聴番組情報を取得するので、要求端末を使用するユーザが視聴番組情報を得ようとする対象端末を特定できる。視聴率算出手段が対象端末の視聴番組情報に基づいて視聴率を算出し、番組特定手段がその算出した視聴率に基づいて推奨番組を特定するので、対象端末によって視聴された番組が何であるかを集計した結果を用いて推奨番組を特定できる。推奨情報送信手段がその特定した推奨番組情報を要求端末に送信するので、例えば、要求端末を使用するユーザは、自分のコミュニティに属する対象端末それぞれが視聴した番組に基づく推奨番組情報を取得できる。
【０００８】
また、本発明の視聴情報収集システムでは、対象端末において視聴番組情報の提供を拒否する提供拒否情報が入力されている場合には、番組情報取得手段は当該提供拒否情報が入力されている対象端末における視聴番組情報を取得しないことも好ましい。例えば、対象端末を使用するユーザが自己の視聴番組に関する情報の提供を拒否する場合には、対象端末に提供拒否情報を入力することで視聴番組情報の提供を拒否できる。
【０００９】
また、本発明の視聴情報収集システムでは、対象端末において視聴番組情報の取得を特定の視聴番組に限定する番組限定情報が入力されている場合には、番組情報取得手段は当該番組限定情報が入力されている対象端末については特定の視聴番組についての視聴番組情報を取得することも好ましい。例えば、対象端末を使用するユーザは特定の視聴番組に関する情報の提供は許容するけれども、他の視聴番組に関する情報の提供は拒否する場合も想定される。そのような場合には、対象端末を使用するユーザが番組限定情報を対象端末に入力することで、特定の視聴番組に限定した視聴番組情報の提供が可能となる。
【００１０】
また、本発明の視聴情報収集システムでは、推奨番組情報は推奨番組の視聴率に関する情報を含むことも好ましい。推奨番組情報が推奨番組の視聴率を含むので、要求端末に推奨端末の視聴率を提供することができる。従って、要求端末を使用するユーザは、推奨番組として特定された根拠となるより詳細な情報を知ることが可能となる。
【００１１】
また、本発明の視聴情報収集システムでは、視聴番組は、相互に関連性のある複数の番組が定期的に放送されているものを対象とすることも好ましい。視聴番組が相互に関連性のある複数の番組であるから、例えば、要求端末を使用するユーザはその推奨番組の次回の放送を視聴することができる。また、視聴番組が定期的に放送されているものであるから、要求端末を使用するユーザはその推奨番組の次回の放送日時を容易に推測することができる。
【００１２】
また、本発明の視聴情報収集プログラムは、コンピュータを、視聴番組に関する視聴番組情報を取得する対象としての対象端末を特定するための対象端末情報を、推奨番組に関する推奨番組情報を要求する要求端末から受信する指定情報受信手段、当該受信した対象端末情報に基づいて対象端末を特定する対象端末特定手段、当該特定された対象端末における視聴番組情報を取得する番組情報取得手段、対象端末特定手段が特定した対象端末の数と番組情報取得手段が取得した視聴番組情報とに基づいて対象端末における番組の視聴率を算出する視聴率算出手段、当該算出された視聴率に基づいて推奨番組を特定する番組特定手段と、当該特定された推奨番組を特定するための番組特定情報を含む推奨番組情報を要求端末に送信する推奨情報送信手段として機能させる。
【００１３】
指定情報受信手段が要求端末から対象端末を特定する対象端末情報を受信し、番組情報取得手段がその受信した対象端末情報に基づいて視聴番組情報を取得するので、要求端末を使用するユーザが視聴番組情報を得ようとする対象端末を特定できる。視聴率算出手段が対象端末の視聴番組情報に基づいて視聴率を算出し、番組特定手段がその算出した視聴率に基づいて推奨番組を特定するので、対象端末によって視聴された番組が何であるかを集計した結果を用いて推奨番組を特定できる。推奨情報送信手段がその特定した推奨番組情報を要求端末に送信するので、例えば、要求端末を使用するユーザは、自分のコミュニティに属する対象端末それぞれが視聴した番組に基づく推奨番組情報を取得できる。
【００１４】
【発明の実施の形態】
本発明の実施形態にかかる視聴情報収集システムについて図面を参照して説明する。本実施形態にかかる視聴情報収集システムは、推奨番組に関する情報を送信する視聴情報収集システムである。
【００１５】
まず、本実施形態にかかる視聴情報収集システムの構成について説明する。図１は、本実施形態にかかる視聴情報収集システムの構成図である。本実施形態にかかる視聴情報収集システム１０は、物理的には、ＣＰＵ（中央処理装置）、メモリ、マウスやキーボードなどの入力装置、ディスプレイなどの表示装置、ハードディスクなどの格納装置などを備えたコンピュータシステムとして構成されている。また、視聴情報収集システム１０は、機能的な構成要素として、図１に示すように、指定情報受信部１０１（指定情報受信手段）と、対象端末特定部１０２（対象端末特定手段）と、番組情報取得部１０３（番組情報取得手段）と、視聴率算出部１０４（視聴率算出手段）と、番組特定部１０５（番組特定手段）と、推奨番組送信部１０６（推奨番組送信手段）と、拒否情報受信部１０７と、端末特定情報格納部１０８と、視聴番組情報格納部１０９とを備えて構成される。また、視聴情報収集システム１０は、ネットワーク３０を通じて、携帯電話機２０１〜２０４（要求端末、対象端末）のそれぞれと情報の送受信が可能なように構成されている。
【００１６】
携帯電話機２０１〜２０４は、音声通話と共に情報通信も可能な携帯電話機である。以下本実施形態においては、携帯電話機２０１は、推奨番組に関する推奨番組情報を要求する要求端末として、携帯電話機２０２〜２０４は、視聴番組を特定するための視聴番組情報（詳細は後述する。）を取得する対象である対象端末として説明する。引き続いて視聴情報収集システム１０の各構成要素について詳細に説明する。
【００１７】
指定情報受信部１０１は、要求端末としての携帯電話機２０１から、対象端末としての携帯電話機２０２〜２０４を特定するための対象端末情報を受信する部分である。
【００１８】
この対象端末情報は、少なくとも要求端末ＩＤ及び対象端末ＩＤを含む。ここで、要求端末ＩＤとは携帯電話機２０１を特定するための情報であり、具体的には顧客コードや端末コードといった携帯電話機２０１を一意に特定できる情報である。また、対象端末ＩＤとは携帯電話機２０２〜２０４を特定するための情報であり、具体的には顧客コードや端末コードといった携帯電話機２０２〜２０４をそれぞれ一意に特定できる情報である。指定情報受信部１０１は、受信した対象端末情報を対象端末特定部１０２に出力する。
【００１９】
対象端末特定部１０２は、指定情報受信部１０１から出力された対象端末ＩＤに基づいて視聴番組情報を取得する携帯電話機２０２〜２０４を特定するとともに、その携帯電話機２０２〜２０４の端末アドレスを取得する部分である。端末アドレスとは、電話番号やＩＰアドレスといった携帯電話機２０２〜２０４にデータを送信する際の宛先となる情報である。携帯電話機２０２〜２０４の特定は、端末特定情報格納部１０８に格納されたデータを参照することにより行う。図２に端末特定情報格納部１０８に格納された対象端末を特定するためのデータの構成図の一例を示す。図２の例に拠れば、端末特定情報格納部１０８には、携帯電話機名称、端末コード、端末アドレス及び視聴番組情報の提供を拒否するか否かを表す提供拒否情報が関連付けられて格納されている。携帯電話機２０１から、対象端末を携帯電話機２０２〜２０４として対象端末情報が送信されると、その対象端末情報には、要求端末ＩＤとして「Ａ００１」が、対象端末ＩＤとして「Ａ００２」「Ａ００３」「Ａ００４」が含まれる。この対象端末情報と図２に示す端末特定情報格納部１０８に格納されている情報とに基づいて、対象端末特定部１０２は携帯電話機２０２〜２０４を対象端末として特定し、端末アドレス「ａｄ２」「ａｄ３」「ａｄ４」を取得する。対象端末特定部１０２は、対象端末情報及び取得した端末アドレスを番組情報取得部１０３に出力する。
【００２０】
番組情報取得部１０３は、対象端末特定部１０２から出力された対象端末ＩＤ及び端末アドレスによって特定された携帯電話機２０２〜２０４における視聴番組情報を取得する部分である。より具体的には、番組情報取得部１０３は、対象端末特定部１０２から出力された対象端末ＩＤと、端末特定情報格納部１０８に格納されている情報とに基づいて、その対象端末ＩＤによって特定される携帯電話機２０２〜２０４が視聴番組情報を提供可能としているかどうかを特定する。図２の例に拠れば、携帯電話機２０２及び携帯電話機２０３は、提供拒否情報が「Ｎ」となっているので視聴番組情報の提供を拒否しないようになっており、携帯電話機２０４は提供拒否情報が「Ｙ」となっているので視聴番組情報の提供を拒否することとなっている。番組情報取得部１０３は、視聴番組情報を送信するよう要求する提供要求情報を、提供拒否情報が「Ｎ」に設定されている携帯電話機２０２〜２０３に対して送信する。視聴番組情報は視聴開始時刻と、視聴終了時刻と、視聴した番組を特定する番組特定情報とを含む。
【００２１】
番組情報取得部１０３が提供要求情報を送信すると、その提供要求情報を送信された携帯電話機２０２〜２０３からは視聴番組情報が送信される。番組情報取得部１０３は、送信されてきた視聴番組情報を受信し、視聴番組情報格納部１０９に格納する。図３に視聴番組情報格納部１０９に格納されているデータの構成図の一例を示す。図３の例に拠れば、視聴番組情報格納部１０９には、視聴番組情報を送信してきた携帯電話機の端末コード、視聴開始時刻、視聴終了時刻、番組特定情報が関連付けられて格納されている。番組情報取得部１０３は、対象端末情報と視聴番組情報を送信するように要求した対象端末ＩＤを視聴率算出部１０４に出力する。
【００２２】
視聴率算出部１０４は、視聴番組情報格納部１０９に格納された視聴番組情報を参照し、各番組特定情報で特定される視聴番組ごとに視聴率を算出する部分である。より具体的には、各視聴番組を視聴している携帯電話機の数を、番組情報取得部１０３から出力された対象端末ＩＤの総数で除して視聴率を得る。図２及び図３の例に拠れば、番組Ａを視聴しているのは対象端末２０２（端末コード：Ａ００２）であり、番組情報取得部１０３が視聴番組情報の送信を要求した対象端末は対象端末２０２（端末コード：Ａ００２）と対象端末２０３（端末コード：Ａ００３）であるから、番組Ａの視聴率を５０％と計算する。視聴率算出部１０４は、対象端末情報、番組特定情報およびその視聴番組の視聴率を番組特定部１０５に出力する。
【００２３】
番組特定部１０５は、視聴率算出部１０４から出力された視聴率があらかじめ設定された下限値を越えている視聴番組を推奨番組として特定する部分である。例えば、下限値が４０％と設定されていれば視聴率が４０％を超えている視聴番組を推奨番組として特定する。番組特定部１０５は、対象端末情報、特定された推奨番組を特定する番組特定情報及びその視聴率を推奨番組送信部１０６に出力する。
【００２４】
推奨番組送信部１０６は、番組特定部１０５から出力された推奨番組を特定する番組特定情報及びその視聴率を含む推奨番組情報を要求端末としての携帯電話機２０１に送信する部分である。ここで、携帯電話機２０１の端末アドレスは、番組特定部１０５から出力された要求端末ＩＤに基づいて端末特定情報格納部１０８に格納されたレコードを参照することにより取得する。
【００２５】
拒否情報受信部１０７は、携帯電話機２０１〜２０４から視聴番組情報の提供を拒否する提供拒否情報を受信する部分である。拒否情報受信部１０７は、受信した提供拒否情報に基づいて端末特定情報格納部１０８に格納されされている提供拒否情報を更新する。例えば、拒否情報受信部１０７が携帯電話機２０４（端末コード：Ａ００４）から提供拒否情報「Ｙ」を受信すると、該当する端末コードが「Ａ００４」のレコードの提供拒否情報を「Ｙ」に更新する。
【００２６】
続いて、本実施形態にかかる視聴情報収集システムの動作について説明し、併せて、本発明の実施形態にかかる視聴情報収集方法について説明する。図４は、本実施形態にかかる視聴情報収集システム１０の動作を示すフローチャートである。
【００２７】
要求端末としての携帯電話機２０１から視聴情報収集システム１０に対して対象端末としての携帯電話機２０２〜２０４を特定するための対象端末情報が送信される（ステップＳ０１）。視聴情報収集システム１０に送信された対象端末情報は、指定情報受信部１０１が受信する（ステップＳ０２）。指定情報受信部１０１が受信した対象端末情報は、対象端末特定部１０２に出力される。
【００２８】
対象端末特定部１０２は、指定情報受信部１０１から出力された対象端末情報に含まれる対象端末ＩＤに基づいて視聴番組情報を取得する携帯電話機２０２〜２０４を特定するとともに、その携帯電話機２０２〜２０４の端末アドレスを取得する（ステップＳ０３）。
【００２９】
番組情報取得部１０３は、対象端末特定部１０２から出力された対象端末ＩＤと、端末特定情報格納部１０８に格納されている情報とに基づいて、その対象端末ＩＤによって特定される携帯電話機２０２〜２０４が視聴番組情報を提供可能としているかどうかを判断する（ステップＳ０４）。ステップＳ０４の判断の結果、視聴番組情報を提供可能としていなければ視聴番組情報を要求せずに後述するステップＳ０８の動作を行う。ステップＳ０４の判断の結果、視聴番組情報を提供可能としていれば、番組情報取得部１０３は、視聴番組情報を送信するよう要求する提供要求情報を、視聴番組情報を提供可能としている携帯電話機２０２〜２０３に対して送信する（ステップＳ０５）。
番組情報取得部１０３が提供要求情報を送信すると、その提供要求情報を受信した携帯電話機２０２〜２０３から視聴番組情報が送信される（ステップＳ０６）。番組情報取得部１０３が送信されてきた視聴番組情報を受信し、視聴番組情報格納部１０９に格納する（ステップＳ０７）。
【００３０】
視聴率算出部１０４が、視聴番組情報格納部１０９に格納された視聴番組情報を参照し、各番組特定情報で特定される視聴番組ごとに視聴率を算出する（ステップＳ０８）。視聴率算出部１０４は、対象端末情報、番組特定情報およびその視聴番組の視聴率を番組特定部１０５に出力する。
【００３１】
番組特定部１０５が、視聴率算出部１０４から出力された視聴率があらかじめ設定された下限値を越えている視聴番組を推奨番組として特定する（ステップＳ０９）。番組特定部１０５は、対象端末情報、特定された推奨番組を特定する番組特定情報及びその視聴率を推奨番組送信部１０６に出力する。
【００３２】
推奨番組送信部１０６が、番組特定部１０５から出力された推奨番組を特定する番組特定情報及びその視聴率を含む推奨番組情報を要求端末としての携帯電話機２０１に送信する（ステップＳ１０）。要求端末２０１により受信された推奨番組情報が要求端末２０１のディスプレイ等の出力装置に出力される（ステップＳ１１）。
【００３３】
本発明の実施形態にかかる視聴情報収集プログラム、および、当該視聴情報収集プログラムを記録したコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
図５は、本発明の実施形態にかかる記録媒体の構成図である。記録媒体９は、図５に示すように、プログラムを記録するプログラム領域９１を備えている。このプログラム領域９１には、視聴情報収集プログラム９２が記録されている。視聴情報収集プログラム９２は、処理を統括するメインモジュール９２１と、指定情報受信モジュール９２２と、対象端末特定モジュール９２３と、番組情報取得モジュール９２４と、視聴率算出モジュール９２５と、番組特定モジュール９２６、推奨番組送信モジュール９２７と、拒否情報受信モジュール９２８とを備えて構成される。ここで、指定情報受信モジュール９２２、対象端末特定モジュール９２３、番組情報取得モジュール９２４、視聴率算出モジュール９２５、番組特定モジュール９２６、推奨番組送信モジュール９２７、拒否情報受信モジュール９２８のそれぞれを動作させることによって実現する機能は、上記視聴情報収集システム１０の指定情報受信部１０１、対象端末特定部１０２、番組情報取得部１０３、視聴率算出部１０４、番組特定部１０５、推奨番組送信部１０６、拒否情報受信部１０７それぞれの機能と同様である。尚、この場合、上記視聴情報収集システム１０の端末特定情報格納部１０８と視聴番組情報格納部１０９とのそれぞれは、記録媒体９のデータ領域９３に端末特定情報格納部９３２と視聴番組情報格納部９３３として格納されていても良いし、別の記録媒体に格納されていても良い。
【００３４】
本実施形態にかかる視聴情報収集システム１０は、指定情報受信部１０１が、要求端末としての携帯電話機２０１から対象端末としての携帯電話機２０２〜２０４を特定する対象端末情報を受信し、番組情報取得部１０３がその受信した対象端末情報に基づいて視聴番組情報を取得する。従って、携帯電話機２０１を使用するユーザが携帯電話機２０２〜２０４のうちから視聴番組情報を取得しようとする携帯電話機２０２〜２０４を特定できる。また、視聴率算出部１０４が対象端末としての携帯電話機２０２〜２０４の視聴番組情報に基づいて視聴率を算出し、番組特定部１０５がその算出した視聴率に基づいて推奨番組を特定する。従って、対象端末としての携帯電話機２０２〜２０４によって視聴された番組を集計した結果を用いて推奨番組を特定できる。また、推奨情報送信部１０６がその特定した推奨番組を携帯電話機２０１に送信する。従って、例えば、携帯電話機２０１を使用するユーザは、自分のコミュニティに属する携帯電話機の視聴番組情報に基づく推奨番組を知ることができる。
【００３５】
上記実施形態にかかる視聴情報収集システム１０においては、指定情報受信部１０１が携帯電話機２０１から受信する対象端末情報における対象端末ＩＤによって視聴番組情報を取得する携帯電話機を特定し、対象端末特定部１０２がその対象端末ＩＤに基づいて端末特定情報格納部１０８に格納されたデータを参照することにより携帯電話機の端末アドレスを取得していたが、これは、携帯電話機が所属するコミュニティにより視聴番組情報を取得する携帯電話機を特定しその端末アドレスを取得しても良い。
【００３６】
より詳細には、携帯電話機２０１がコミュニティ「Ａ」に属する対象端末の視聴番組情報を要求すると、指定情報受信部１０１が要求端末ＩＤとして「Ａ００１」並びに対象コミュニティとして「Ａ」を対象端末情報として受信する。端末特定情報格納部１０８に格納されたデータには、携帯電話機２０１〜２０４がどのコミュニティに属しているかを表す所属コミュニティが含まれている。対象端末特定部２０１は、この所属コミュニティを参照し、所属コミュニティが「Ａ」に属する携帯電話機を特定するとともにその端末アドレスを取得する。
【００３７】
また、上記実施形態にかかる視聴情報収集システム１０においては、番組情報取得部１０３が、対象端末特定部１０２で特定された携帯電話機２０２〜２０４のうち、端末特定情報格納部１０８に格納されたレコードにおいて提供拒否情報が「Ｎ」に設定された端末コードで特定される携帯電話機２０２〜２０３に対して視聴番組情報を送信するよう要求していたが、これは、番組情報取得部１０３が視聴番組情報の送信を要求する際に、対象端末特定部１０２で特定された携帯電話機に対して、視聴番組情報の提供を拒否するか否かを問い合わせるようにしてもよい。
【００３８】
また、上記実施形態にかかる視聴情報収集システム１０においては、番組情報取得部１０３が対象端末としての携帯電話機２０２〜２０３に対して、全ての視聴番組の視聴番組情報を送信するよう要求していたが、これは、対象端末としての携帯電話機２０２〜２０３が限定している視聴番組についてのみ視聴番組情報を送信するように要求してもよい。例えば、番組情報取得部１０３が、視聴番組情報の送信を要求する前に、対象端末としての携帯電話機２０２〜２０４に対して視聴番組情報の取得を特定の番組に限定する番組限定情報の入力がされているか否かを問い合わせ、番組限定情報として「番組Ａ」が入力されている場合は「番組Ａ」についてのみの視聴番組情報の送信を要求する。
【００３９】
また、上記実施形態にかかる視聴情報収集システム１０においては、相互に関連性のある複数の番組が定期的に放送されている視聴番組についての視聴番組情報を送信するように要求してもよい。すなわち、視聴情報収集システム１０の所定の格納領域にに図６に示すような放映開始時刻、放映終了時刻、番組特定情報及び放送回を含む番組表データが格納されており、番組情報取得部１０３が、放映時間帯から（放送回からでもよい）定期的に連続して放送されている視聴番組である「番組Ａ」及び「番組Ｃ」を特定し、対象端末としての携帯電話機に対してその視聴番組に関する視聴番組情報を送信するよう要求してもよい。
【００４０】
また、上記実施形態にかかる視聴情報収集システム１０においては、指定情報受信部１０１が携帯電話機２０１から対象端末情報を受信したタイミングで、対象端末特定部１０２が対象端末としての携帯電話機２０２〜２０４を特定後、番組情報取得部１０３がそれらの携帯電話機２０２〜２０４に対して視聴番組情報を送信するよう要求していたが、これは、番組情報取得部１０３が定期的に独立したタイミングで携帯電話機２０１〜２０４に対し視聴番組情報を送信するよう要求してもよい。これにより、携帯電話機２０１からの要求の有無に関わらず、番組情報取得部１０３が各端末から定期的に番組視聴情報を受信することができるため、一度の大量なデータの送受信によるネットワーク３０の輻輳を低減することができる。
【００４１】
【発明の効果】
本発明の視聴情報収集システムは、要求端末から対象端末を特定する対象端末情報を受信し、その受信した対象端末情報に基づいて視聴番組情報を取得するので、要求端末を使用するユーザが視聴番組情報を得ようとする対象端末を特定できる。対象端末の視聴番組情報に基づいて視聴率を算出し、その算出した視聴率に基づいて推奨番組を特定するので、対象端末によって視聴された番組が何であるかを集計した結果を用いて推奨番組を特定できる。また、その特定した推奨番組を要求端末に送信するので、例えば、要求端末を使用するユーザは、自分のコミュニティに属する対象端末それぞれが視聴した番組に基づく推奨番組を取得できる。その結果、対象となる端末相互の関連性を加味して所定の情報の集計をすることが可能となる。従って本発明の目的とする、対象となる端末相互の関連性を加味して所定の情報の集計をすることができる視聴情報収集システム、視聴情報収集方法、及び視聴情報収集プログラムを提供することができた。
【図面の簡単な説明】
【図１】本発明の実施形態である視聴情報収集システムの構成図である。
【図２】図１の端末特定情報格納部に格納されたデータの構成図である。
【図３】図１の視聴番組情報格納部に格納されたデータの構成図である。
【図４】本発明の実施形態である視聴情報収集システムの動作を示すフローチャートである。
【図５】本発明の実施形態である視聴情報収集プログラムの構成図である。
【図６】本発明の視聴情報収集システムに用いられる番組表データの構成図である。
【符号の説明】
１０…視聴情報収集システム、１０１…指定情報受信部、１０２…対象端末特定部、１０３…番組情報取得部、１０４…視聴率算出部、１０５…番組特定部、１０６…推奨番組送信部、１０７…拒否情報受信部、１０８…端末特定情報格納部、１０９…視聴番組情報格納部、２０１…要求端末、２０２〜２０４…対象端末、３０…ネットワーク。
【図１】
2004240502.tif 000003
【図２】
2004240502.tif 000004
【図３】
2004240502.tif 000005
【図４】
2004240502.tif 000006
【図５】
2004240502.tif 000007
【図６】
2004240502.tif 000008